(57)【要約】【課題】  従来の植込み歯ブラシは、製造方法とその構造からブラシ密度を変更することができなかった。これにより、口腔内の歯垢除去を目的とする歯ブラシ製造はできたが、歯周災、歯周病の予防となる歯肉マッサージが同時にできる歯ブラシは存在しなかった。また、植込み歯ブラシでは、その製造方法から金属性毛止め板を使用し、安全性、リサイクル面からも考えても不安があった。【解決手段】  歯ブラシの製造方法を植込みから溶着に変更することで、ブラシ密度を高くすることが可能となり口腔内の歯垢除去と歯肉マッサージが同時にできる歯ブラシを提供できた。それに加え、その構造から金属性毛止め板を使用することがなくなり、樹脂単体となったためリサイクルも可能となったばかりか、口腔内に金属片を入れることがなくなり安全面、衛生面からみても前進した。【選択図】    図１
2006297028.tif 000002
【特許請求の範囲】
【請求項１】
糸材群一方向平面を超音波により融解し溶着と同時に歯ブラシハンドル挿入凸部分を成形製造したブラシ単体を歯ブラシハンドル挿入凹部分に差し込み最先端部分を溶着止め、ブラシカットされた溶着歯ブラシ。
【請求項２】
請求項１の融解、溶着方法を高周波を利用して製造されたブラシ単体と溶着歯ブラシ。
【請求項３】
糸材群一方向平面を超音波、高周波により融解し溶着と同時に歯ブラシハンドル挿入凸部分を成形製造したブラシ単体を歯ブラシハンドル挿入凹部分に差し込み最先端部分を溶着止め、ブラシカットされた溶着歯ブラシの製造方法。
【請求項４】
糸材群一方向平面を超音波、高周波により融解し溶着と同時に歯ブラシハンドル挿入凸部分を成形製造したブラシ単体を歯ブラシハンドル挿入凹部分に差し込み最先端部分を溶着止め、ブラシカットされた溶着歯ブラシの製造装置。
【発明の詳細な説明】
【技術分野】
【０００１】  本発明は、ブラシ部分を溶着した溶着歯ブラシに関する。
【背景技術】
【０００２】  従来の歯ブラシの製造方法は、歯ブラシハンドル植毛部にある植毛穴に二ッ折りブリッスル束を差し込み、毛止め板で固定するものである。【０００３】  以下、図１０により従来の植込み型歯ブラシについて説明する。図において１４は歯ブラシハンドル植毛部、１５は植毛穴、１６は二ッ折りブリッスル束、１７は毛止め板である図１０に示すように、植込み機により歯ブラシハンドル植毛部１４に一定間隔で開けられた植毛穴１５に二ッ折りブリッスル束１６を差し込み開けられた穴径より若干幅の広い寸法の毛止め板１７を打ち込んで毛止めをする。この作業が完了すると植込まれたブリッスル束上部分をカッティングして歯ブラシとする。
【発明者が解決しようとする課題】
【０００４】  以上に述べた従来の植込み歯ブラシでは、植毛穴１５の間隔を近づけることが植毛穴強度の面からできなかった。そのためブラシ密度の高い歯ブラシの製造が困難で歯垢除去と同時に歯肉のマッサージのできる歯ブラシが製造できなかった。
【０００５】  植毛の際使用する毛止め板１７は黄銅（銅と亜鉛の合金）が主流である。これは安価であり加工が容易であるためである。しかし黄銅は特に酸に弱く腐食する。１〜３ヵ月位で交換することを考慮しても人体に対し絶対に安心であるとは断言できない。それに加えわが国の水質はヨーロッパ諸国に比らべると典型的な酸性水であり心配は大きい。
【０００６】  また、上記毛止め板１７使用のため、金属製品が混入するため、リサイクルが遅遅として進まず、リサイクル時代、環境問題に対して逆行するものであった。
【課題を解決するための手段】
【０００７】  そして、本発明は上記目的を達成するために切断糸材群４を切断糸材群供給装置６により金型８に供給し、溶着ホーン９で上部平面を溶着成形しブラシ部分を製造する。
【０００８】  製造されたブラシ部分を歯ブラシハンドルに挿入し先端部分を脱落防止のため溶着止めをする。その後、ブラシ部分をカット仕上げして溶着歯ブラシを製造する。
【０００９】  上記の課題解決手段による作用は次の通りである。従来の植込み歯ブラシと違いブラシ密度の高い溶着歯ブラシの製造が可能となった。それに加え黄銅等の金属性毛止め板を使用することがなくなり、安全性、リサイクルの面からも大きく前進した。
【発明の効果】
【００１０】  上記したように本発明の溶着歯ブラシは、従来の植込み歯ブラシに比らべ、ブラシ密度が高く、歯垢除去はもちろん、歯肉のマッサージ効果も高い。（マッサージ効果は、中高年齢者に多く発生する歯周炎、歯周病の予防につながる。）
【００１１】  黄銅（銅と亜鉛の合金）等の金属製毛止め板を使用せず、樹脂単体のためリサイクル回収が容易となった。
【００１２】  口腔内で黄銅（銅と亜鉛の合金）等の金属製毛止め板を使用することは、
１）口腔内で脱落した時の危険性。
２）腐食による人体に対する危険があったが、溶着歯ブラシでは一切使用しないため        安心して使用できる。
【００１３】  植込み歯ブラシは、植毛穴の強度を保つため、植毛穴間に一定の寸法を必要とした。このことからブラシ密度は粗になるばかりか変更することが一切できなかった。しかし溶着歯ブラシでは、一定の範囲内（溶着体積内）で自由に変更することができ、その用途により使い分けることができた。
【発明を実施するための最良の形態】
【００１４】  以下、本発明の実施の形態を図１〜図９に基づいて説明する。【００１５】  図においては、１は歯ブラシハンドル、２はブラシ部、３はブラシ挿入凸部を示す。【００１６】  溶着ブラシ原材料となる切断糸材群４を切断糸材群供給装置６に供給する。切断糸材群供給装置６下部には糸材群送りコンベアー７、前面には糸材群送りローラー５があり、先端部分には金型８がある。【００１７】  金型８は、金型開閉装置１１により左右に開閉される。金型８の前面には、糸材群先端ガード板１２が、金型８上部には溶着ホーン９があり、溶着ホーン上下装置１０により上下する。【００１８】  以下、上記構成の動作を詳しく説明する。溶着によりブラシ部２を製造するために、まず切断糸材群４を切断糸材群供給装置６に長さをそろえ整理して入れる。切断糸材群供給装置６に供給された切断糸材群４は、切断糸材群供給装置６、下部にある糸材群送りコンベアー７により前方に送りだされ、糸材群送りローラー５の回転により整列し金型８に供給される。【００１９】  金型前面には、糸材群先端ガード板１２があり、供給された切断糸材群４は長方体になる。【００２０】  次に、溶着ホーン９が下降し、切断糸材群４平面を融解し溶着と同時にブラシ挿入凸部３を成形する。溶着が完了すると、溶着ホーン上下装置１０により溶着ホーン９が始動位置まで上昇し、同時に金型開閉装置１１が左右に開閉する。開閉が完了すると、糸材群先端ガード板１２が始動位置まで後退し、切断糸材群４を再供給することにより、完成したブラシ部２が下方に取り出される。【００２１】  以下、上記工程をくり返しブラシ部２を製造する。【００２２】  製造されたブラシ部２にあるブラシ挿入凸部３を、歯ブラシハンドル凹部に挿入し最先端部分を先端部溶着装置１３により溶着固定し、ブラシ部先端をカットして溶着歯ブラシとする。
【図面の簡単な説明】
【図１】  溶着歯ブラシ正面図
【図２】  溶着歯ブラシ平面図
【図３】  Ａ−Ａ断面図
【図４】  Ｂ−Ｂ断面図
【図５】  ブラシ部斜射図
【図６】  切断糸材群斜射図
【図７】  ブラシ製造装置全体図
【図８】  ブラシ挿入斜射図
【図９】  溶着歯ブラシ先端溶着斜射図
【図１０】  植込み歯ブラシ製造説明図
【符号の説明】
１    歯ブラシハンドル
２    ブラシ部
３    ブラシ挿入凸部
４    切断糸材群
５    糸材群送りローラー
６    切断糸材群供給装置
７    糸材群送りコンベアー
８    金型
９    溶着ホーン
１０    溶着ホーン上下装置
１１    金型開閉装置
１２    糸材群先端ガード板
１３    先端部溶着装置
１４    歯ブラシハンドル植毛部
１５    植毛穴
１６    二ッ折りブリッスル束
１７    毛止め板
【図１】
2006297028.tif 000003
【図２】
2006297028.tif 000004
【図３】
2006297028.tif 000005
【図４】
2006297028.tif 000006
【図５】
2006297028.tif 000007
【図６】
2006297028.tif 000008
【図７】
2006297028.tif 000009
【図８】
2006297028.tif 000010
【図９】
2006297028.tif 000011
【図１０】
2006297028.tif 000012